(57)【特許請求の範囲】
【請求項１】
予め設定されている撮影量の連続撮影を行うことができる撮影装置であって、
撮影指示がなされてから所定時間経過後に前記連続撮影を開始するセルフタイマによる画像の撮影を実行する撮影手段と、
前記セルフタイマによる前記連続撮影時における被写体の状態を判別する判別手段と、
前記判別手段による判別結果に応じて、前記連続撮影の撮影終了時間を制御する制御手段と、を備え、
前記判別手段は、前記被写体の状態により、前記連続撮影の準備が完了しているか否かを判別し、
前記制御手段は、前記判別手段により前記連続撮影の準備が完了していないと判別された場合に、前記連続撮影の撮影終了時間を遅らせる制御を行う、
ことを特徴とする撮影装置。
【請求項２】
前記判別手段は、前記セルフタイマによる前記連続撮影の撮影開始時における被写体の状態を判別することを特徴とする請求項１に記載の撮影装置。
【請求項３】
前記制御手段は、前記撮影量を増加させることにより、前記連続撮影の撮影終了時間を遅らせる制御を行うことを特徴とする請求項１又は２に記載の撮影装置。
【請求項４】
前記制御手段は、前記連続撮影の撮影時間又は撮影枚数を増加させることにより、前記撮影量を増加させることを特徴とする請求項３に記載の撮影装置。
【請求項５】
人物の顔を検出する第１の検出手段を更に備え、
前記判別手段は、前記第１の検出手段により人物の顔が検出されたか否かによって、前記連続撮影の準備が完了しているか否かを判別することを特徴とする請求項１〜４の何れか一項に記載の撮影装置。
【請求項６】
前記第１の検出手段は、更に前記人物の視線を検出し、
前記判別手段は、前記第１の検出手段により検出された前記人物の視線が所定の方向であるか否かによって、前記連続撮影の準備が完了しているか否かを判別することを特徴とする請求項５に記載の撮影装置。
【請求項７】
人物が把持する又は装着する物体を検出する第２の検出手段を更に備え、
前記判別手段は、前記第２の検出手段により検出された前記物体が、静止しているか否か、又は前記撮影手段により撮影される画像内の所定の範囲内で検出されたか否か、によって、前記連続撮影の準備が完了しているか否かを判別することを特徴とする請求項１〜６の何れか一項に記載の撮影装置。
【請求項８】
撮影指示がなされてから所定時間経過後に、予め設定されている撮影量の連続撮影を開始するセルフタイマによる画像の撮影を実行する撮影手段を備える撮影装置の撮影制御方法であって、
前記セルフタイマによる前記連続撮影時における被写体の状態を判別する判別処理と、
前記被写体の判別結果に応じて、前記連続撮影の撮影終了時間を制御する制御処理と、を含み、
前記判別処理は、前記被写体の状態により、前記連続撮影の準備が完了しているか否かを判別し、
前記制御処理は、前記判別処理により前記連続撮影の準備が完了していないと判別された場合に、前記連続撮影の撮影終了時間を遅らせる制御を行う、
ことを特徴とする撮影制御方法。
【請求項９】
撮影指示がなされてから所定時間経過後に、予め設定されている撮影量の連続撮影を開始するセルフタイマによる画像の撮影を実行する撮影手段を備える撮影装置を制御するコンピュータに、
前記セルフタイマによる前記連続撮影時における被写体の状態を判別する判別機能、
前記判別機能による判別結果に応じて、前記連続撮影の撮影終了時間を制御する制御機能、を実現させるプログラムであって、
前記判別機能は、前記被写体の状態により、前記連続撮影の準備が完了しているか否かを判別し、
前記制御機能は、前記判別機能により前記連続撮影の準備が完了していないと判別された場合に、前記連続撮影の撮影終了時間を遅らせる制御を行う、
ことを特徴とするプログラム。
【発明の詳細な説明】
【技術分野】
【０００１】
本発明は、撮影装置、撮影制御方法及びプログラムに関する。
【背景技術】
【０００２】
従来、自分自身を撮影する場合、セルフタイマを使用して撮影することが広く行われている。セルフタイマは予め定められた時間（例えば、１０秒）が設定されているが、撮影者自身が被写体となるため、撮影位置に移動したり、撮影のためのポーズをとったりといった撮影のための準備が間に合わず撮影に失敗してしまうという問題がある。そこで、上記の問題を解消すべく、セルフタイマの時間を延長し、１枚の静止画像の撮影開始を遅らせるという技術が開示されている（例えば、特許文献１参照）。
【先行技術文献】
【特許文献】
【０００３】
【特許文献１】特開２０１１−１１３０６２号公報
【発明の概要】
【発明が解決しようとする課題】
【０００４】
しかしながら、上記特許文献１に開示されている技術は、静止画像の撮影を対象としており、被写体の一連の動きを撮影する連写や動画撮影といった連続撮影において当該技術を採用しても、被写体の一連の動きが撮影時間内に収まらない等の失敗の軽減には不十分である。
【０００５】
本発明は、このような問題に鑑みてなされたものであり、セルフタイマにより連続撮影を行う場合において、当該連続撮影の失敗を軽減することを目的とする。
【課題を解決するための手段】
【０００６】
上記課題を解決するため、本発明に係る撮影装置は、
予め設定されている撮影量の連続撮影を行うことができる撮影装置であって、
撮影指示がなされてから所定時間経過後に前記連続撮影を開始するセルフタイマによる画像の撮影を実行する撮影手段と、
前記セルフタイマによる前記連続撮影時における被写体の状態を判別する判別手段と、
前記判別手段による判別結果に応じて、前記連続撮影の撮影終了時間を制御する制御手段と、を備え、
前記判別手段は、前記被写体の状態により、前記連続撮影の準備が完了しているか否かを判別し、
前記制御手段は、前記判別手段により前記連続撮影の準備が完了していないと判別された場合に、前記連続撮影の撮影終了時間を遅らせる制御を行う、
ことを特徴とする。
【発明の効果】
【０００７】
本発明によれば、セルフタイマにより連続撮影を行う場合において、当該連続撮影の失敗を軽減することができる。
【図面の簡単な説明】
【０００８】
【図１】本発明を適用した一実施形態の撮影装置の概略構成を示すブロック図である。
【図２】（ａ）は、セルフタイマにより動画像を撮影する際の撮影装置の使用例を示す図であり、（ｂ）は、被写体である人物の顔が検出され、動画像を撮影する準備が完了した状態を示す図であり、（ｃ）は、被写体である人物の顔が検出されず、動画像を撮影する準備が完了していない状態を示す図である。
【図３】図１の撮影装置のセルフタイマによる動画像の撮影処理の一例を示すフローチャートである。
【発明を実施するための形態】
【０００９】
以下に、本発明について、図面を用いて具体的な態様を説明する。ただし、発明の範囲は、図示例に限定されない。
【００１０】
図１は、本発明の一実施形態の撮影装置１００の概略構成を示すブロック図である。
図１に示すように、本実施形態の撮影装置１００は、中央制御部１と、メモリ２と、撮像部３と、撮像制御部４と、画像データ生成部５と、画像記録部６と、表示部７と、操作入力部８とを備えている。
また、中央制御部１、メモリ２、撮像部３、撮像制御部４、画像データ生成部５、画像記録部６及び表示部７は、バスライン９を介して接続されている。
【００１１】
中央制御部１は、撮影装置１００の各部を制御するものである。具体的には、中央制御部１は、図示は省略するが、ＣＰＵ（Central Processing Unit）、ＲＡＭ（Random Access Memory）、ＲＯＭ（Read Only Memory）を備え、撮影装置１００用の各種処理プログラム（図示略）に従って各種の制御動作を行う。
【００１２】
メモリ２は、例えば、ＤＲＡＭ（Dynamic Random Access Memory）等により構成され、中央制御部１や撮像制御部４等の各部によって処理されるデータ等を一時的に記憶するものである。
【００１３】
撮像部（撮影手段）３は、被写体を撮像する。具体的には、撮像部３は、レンズ部３ａと、電子撮像部３ｂとを備えている。
【００１４】
レンズ部３ａは、例えば、レンズやフォーカスレンズ等の複数のレンズから構成されている。
電子撮像部３ｂは、例えば、ＣＭＯＳ（Complementary Metal Oxide Semiconductor）やＣＣＤ（Charge Coupled Device）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１５】
撮像制御部４は、撮像部３による被写体の撮像を制御する。
撮像制御部４は、図示は省略するが、タイミング発生器、ドライバなどを備えている。撮像制御部４は、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部５に出力させる。また、撮像制御部４は、ＡＦ（自動合焦処理）、ＡＥ（自動露出処理）、ＡＷＢ（自動ホワイトバランス調整処理）等の被写体を撮像する際の条件の調整制御を行う。
本実施形態の撮影装置１００は、撮像制御部４による制御下において動画像の撮影（連続撮影）を実行するに際し、当該動画像の撮影指示がなされてから所定時間（例えば、１０秒）経過後に動画像の撮影を開始するセルフタイマによる動画像の撮影を実行する機能を有している。
【００１６】
また、本実施形態において、撮像制御部４は、検出部４ａと、判別部４ｂと、撮影終了時間制御部４ｃと、を具備している。なお、撮像制御部４の各部は、例えば、所定のロジック回路から構成されているが、当該構成は一例であってこれに限られるものではない。
【００１７】
検出部（第１の検出手段）４ａは、撮像部３により逐次撮像されている撮像画像（ライブビュー画像）から被写体となる人物の顔を検出する顔検出処理を行う。
具体的には、例えば、一連のゴルフスイングの動画像を撮影したい場合、図２（ａ）に示すように、ゴルフスイングを行う人物（被写体）の正面の所定位置に三脚ｔｒに固定された撮影装置１００を設置した状態とする。そして、検出部４ａはこの状態において撮像部３により逐次撮像されている撮像画像（ライブビュー画像）から被写体となる人物の顔を検出する。
なお、顔検出処理は公知の技術を使用することで実現可能であるため、詳細な説明は省略する。
【００１８】
判別部（判別手段）４ｂは、セルフタイマによる動画像の撮影開始時に被写体の状態を判別する。
以下に、図２（ａ）〜（ｃ）を具体的な例として説明する。図２（ａ）はゴルフボールを打ち出す方向を正面とし、図２（ｂ）（ｃ）は、レンズ部３ａに入射される光軸方向を正面として表した図となっている。判別部４ｂは、セルフタイマによる動画像の撮影開始時、すなわち当該動画像の撮影指示がなされセルフタイマが起動してから所定時間（例えば、１０秒）が経過したタイミングにおいて、検出部４ａにより被写体となる人物の顔が検出されているか否かを判別する。そして、例えば、図２（ｂ）に示すように、ゴルフスイングを開始する直前のアドレス状態にあり、被写体となる人物の顔が検出された場合（当該人物の顔が顔検出枠Ｆで囲まれている場合）、判別部４ｂは、動画像（例えば、アドレスからフォロースイングまでの一連のゴルフスイングの動画像）の撮影の準備が完了していると判別する。一方、例えば、図２（ｃ）に示すように、被写体である人物が前方（グリーン方向等）を確認するなど、アドレス状態に入る前の状態にあり、被写体となる人物の顔が検出されなかった場合、判別部４ｂは、動画像の撮影の準備が完了していないと判別する。
【００１９】
撮影終了時間制御部（制御手段）４ｃは、判別部４ｂによる判別結果に応じて、セルフタイマによる動画像の撮影終了時間を制御する。
具体的には、撮影終了時間制御部４ｃは、判別部４ｂにより、動画像の撮影の準備が完了していないと判別された場合、当該動画像の撮影終了時間を遅らせる制御を行う。例えば、予め設定されている動画像の撮影時間（撮影量）が５秒の場合、撮影終了時間制御部４ｃは、当該撮影時間（撮影量）を２秒増加させ、動画像の撮影時間を７秒とすることによって、動画像の撮影終了時間を遅らせる。従って、一連のゴルフスイングの動画像を撮影する際、被写体である人物が前方（グリーン方向等）を確認するなど、アドレス状態に入る前の状態等にあり、一連のゴルフスイングの動画像の撮影の準備が未だ完了していない場合、撮影装置１００は撮像制御部４の制御下において、予め設定されている動画像の撮影時間（例えば、５秒）に２秒加えた７秒の間、動画像の撮影を行うこととなる。これにより、動画像の撮影開始時以降にアドレス状態に入った場合でも、一連のゴルフスイングの途中で動画像の撮影が終了してしまう等の撮影の失敗を軽減することができる。
一方、撮影終了時間制御部４ｃは、判別部４ｂにより動画像の撮影の準備が完了していると判別された場合、動画像の撮影終了時間を遅らせる制御を行わない。従って、一連のゴルフスイングの動画像を撮影する際、被写体である人物がアドレスの状態にあり、一連のゴルフスイングの動画像の撮影の準備が既に完了している場合、撮影装置１００は撮像制御部４の制御下において、予め設定されている動画像の撮影時間（例えば、５秒）の間、動画像の撮影を行うこととなる。
【００２０】
画像データ生成部５は、電子撮像部３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、画像データ生成部５は、生成した画像データをバッファメモリとして使用されるメモリ２や画像記録部６に転送する。
【００２１】
画像記録部６は、例えば、不揮発性メモリ（フラッシュメモリ）等により構成されている。また、画像記録部６は、画像データ生成部５の符号化部（図示略）により所定の符号化方式で符号化された各種の画像の画像データを記録する。
【００２２】
なお、画像記録部６は、例えば、記録媒体（図示略）が着脱自在に構成され、装着された記録媒体からのデータの読み出しや記録媒体に対するデータの書き込みを制御する構成であっても良い。
【００２３】
表示部７は、ライブビュー画像或いは、記録されている静止画像や動画像を再生、表示する。具体的には、表示部７は、表示パネル７ａと、表示制御部７ｂとを具備している。
【００２４】
表示パネル７ａは、表示領域内に画像を表示する。具体的には、表示パネル７ａは、静止画撮影モードや動画撮影モードにて、撮像部３による被写体の撮像により生成された複数の画像フレームを所定のフレームレートで逐次更新しながらライブビュー画像を表示する。また、再生モードにて、メモリ２や画像記録部６に記録され、ユーザにより選択された静止画像や動画像を再生、表示する。
なお、表示パネル７ａとしては、例えば、液晶表示パネルや有機ＥＬ表示パネルなどが挙げられるが、一例であってこれらに限られるものではない。
【００２５】
表示制御部７ｂは、ライブビュー画像、或いはメモリ２や画像記録部６から読み出され復号された所定サイズの画像データに基づいて、所定の画像を表示パネル７ａの表示画面に表示させる制御を行う。具体的には、表示制御部７ｂは、ＶＲＡＭ（Video Random Access Memory）、ＶＲＡＭコントローラ、デジタルビデオエンコーダなどを備えている。そして、デジタルビデオエンコーダは、中央制御部１の制御下にてメモリ２から読み出されてＶＲＡＭ（図示略）に記憶されている輝度信号Ｙ及び色差信号Ｃｂ，Ｃｒを、ＶＲＡＭコントローラを介してＶＲＡＭから読み出して、これらのデータを元にビデオ信号を発生して表示パネル７ａに出力する。
【００２６】
操作入力部８は、装置本体に対して各種指示を入力するためのものである。
具体的には、操作入力部８は、例えば、シャッタキー（シャッタレリーズキー）、動作モードや機能等の選択指示に係る上下左右のカーソルボタン、決定ボタン等を具備する操作部（図示略）を備えている。
そして、ユーザにより操作部の各種ボタンが操作されると、操作入力部８は、操作されたボタンに応じた操作指示を中央制御部１に出力する。中央制御部１は、操作入力部８から出力され入力された操作指示に従って所定の動作（例えば、被写体の撮像等）を各部に実行させる。
本実施形態の撮影装置１００において、セルフタイマによる動画像の撮影を行う場合、例えば、ユーザによる上記カーソルボタンの操作によってセルフタイマによる動画像の撮影モードが選択された状態で、上記決定ボタンが操作されることによって、動作モードをセルフタイマによる動画像の撮影モードに移行させる。そして、セルフタイマによる動画像の撮影モードにおいて、上記シャッタキーが操作されることにより、セルフタイマが起動され、例えば１０秒経過後に動画像の撮影が開始されることとなる。
なお、操作入力部８は、表示部７の表示パネル７ａと一体となって設けられたタッチパネル（図示略）を有して構成されていても良い。
【００２７】
次に、本実施形態の撮影装置１００で実行されるセルフタイマによる動画像の撮影処理について、例えば、アドレスからフォロースイングまでの一連のゴルフスイングの動画像の撮影処理を一例として説明する。図３は、セルフタイマによる動画像の撮影処理の一例を示すフローチャートである。
【００２８】
図３に示すように、動作モードがセルフタイマによる動画像の撮影モードに移行し、上記撮影処理が実行されると、撮像制御部４は、先ず、セルフタイマによる動画像の撮影開始操作がなされたか否かを判定する（ステップＳ１）。具体的には、撮像制御部４は、例えば、操作入力部８のシャッタキーの操作がなされたか否かを判定する。
ステップＳ１において、セルフタイマによる動画像の撮影開始操作がなされていないと判定された場合（ステップＳ１；ＮＯ）、撮像制御部４は、ステップＳ１の判定処理を繰り返し行う。
一方、ステップＳ１において、セルフタイマによる動画像の撮影開始操作がなされたと判定された場合（ステップＳ１；ＹＥＳ）、撮像制御部４は、セルフタイマを起動させ、設定された時間（例えば、１０秒）の計測を開始する（ステップＳ２）。
【００２９】
次いで、撮像制御部４は、動画像の撮影開始タイミングであるか否か、すなわちセルフタイマに設定された時間（例えば、１０秒）が経過したか否かを判定する（ステップＳ３）。
ステップＳ３において、動画像の撮影開始タイミングでないと判定された場合（ステップＳ３；ＮＯ）、撮像制御部４は、ステップＳ３の判定処理を繰り返し行う。
一方、ステップＳ３において、動画像の撮影開始タイミングであると判定された場合（ステップＳ３；ＹＥＳ）、判別部４ｂは、検出部４ａにより被写体である人物の顔が検出されたか否かを判定する（ステップＳ４）。
【００３０】
ステップＳ４において、例えば、図２（ｂ）に示すように、ゴルフスイングを開始する直前のアドレス状態にあり、検出部４ａにより被写体である人物の顔が検出されたと判定された場合（ステップＳ４；ＹＥＳ）、判別部４ｂは、アドレスからフォロースイングまでの一連のゴルフスイングの動画像の撮影の準備が完了していると判別する。そして、このとき撮影終了時間制御部４ｃによる動画像の撮影終了時間を遅らせる制御は行わず、撮影装置１００は撮像制御部４の制御下において、予め設定されている動画像の撮影時間（例えば、５秒）の間、アドレスからフォロースイングまでの一連のゴルフスイングの動画像の撮影を行い（ステップＳ５）、セルフタイマによる動画像の撮影処理を終了する。
一方、ステップＳ４において、例えば、図２（ｃ）に示すように、被写体である人物が前方（グリーン方向等）を確認するなど、アドレス状態に入る前の状態にあり、検出部４ａにより被写体である人物の顔が検出されなかったと判定された場合（ステップＳ４；ＮＯ）、判別部４ｂは、アドレスからフォロースイングまでの一連のゴルフスイングの動画像の撮影の準備が完了していないと判別する。そして、このとき撮影終了時間制御部４ｃによる動画像の撮影終了時間を遅らせる制御を行い、予め設定されている動画像の撮影時間（例えば、５秒）に２秒加えた７秒の間、一連のゴルフスイングの動画像の撮影を行い（ステップＳ６）、セルフタイマによる動画像の撮影処理を終了する。
【００３１】
以上のように、本実施形態の撮影装置１００は、セルフタイマによる動画像の撮影を実行する。また、撮影装置１００は、セルフタイマによる動画像時における被写体の状態を判別する。また、撮影装置１００は、被写体の状態の判別結果に応じて、動画像の撮影終了時間を制御する。
このため、本実施形態の撮影装置１００にあっては、セルフタイマによる動画像の撮影を実行する際に、被写体の状態に応じて、撮影終了時間を調整することによって、被写体の一連の動きが途切れた撮影となってしまうといった不具合を抑制することができるので、セルフタイマによる動画像の撮影の失敗を軽減することができる。
【００３２】
また、本実施形態の撮影装置１００は、セルフタイマによる連続撮影の撮影開始時における被写体の状態を判別する。
このため、判別処理をセルフタイマによる連続撮影の撮影開始時のみ行うだけでよいので、判別処理の負荷を軽減することができる。
【００３３】
また、本実施形態の撮影装置１００は、被写体の状態により、セルフタイマによる動画像の撮影の準備が完了しているか否かを判別する。また、撮影装置１００は、セルフタイマによる動画像の撮影の準備が完了していないと判別された場合に、当該動画像の撮影終了時間を遅らせる制御を行う。
このため、本実施形態の撮影装置１００にあっては、セルフタイマによる動画像の撮影を実行する際に、当該動画像の撮影の準備が完了していないと判別された場合、当該動画像の撮影終了時間を遅らせる制御を行うことによって、被写体の一連の動きが途切れた撮影となってしまうといった不具合を抑制することができるので、セルフタイマによる動画像の撮影の失敗を軽減することができる。
【００３４】
また、本実施形態の撮影装置１００は、撮影量を増加させることにより、セルフタイマによる動画像の撮影終了時間を遅らせる制御を行う。具体的には、撮影装置１００は、動画像の撮影時間を増加させることにより、セルフタイマによる動画像の撮影終了時間を遅らせる制御を行う。
つまり、本実施形態の撮影装置１００にあっては、不要な撮影（例えば、被写体である人物が前方（グリーン方向等）を確認するなど、アドレス状態に入る前の状態における撮影）が増えることよりも、ユーザ所望の一連の動画像（例えば、アドレスからフォロースイングまでの一連のゴルフスイングの動画像）の撮影が途切れてしまうことを抑制することを優先することによって、セルフタイマによる動画像の撮影の失敗を軽減することができる。
【００３５】
また、本実施形態の撮影装置１００は、セルフタイマによる動画像の撮影を開始するタイミングにおいて、被写体である人物の顔を検出する。また、撮影装置１００は、被写体である人物の顔が検出されたか否かによって、動画像の撮影の準備が完了しているか否かを判別する。
このため、本実施形態の撮影装置１００にあっては、例えば被写体である人物が前方（グリーン方向等）を確認するなど、アドレス状態に入る前の状態にあり、当該人物の顔が検出されない場合は、セルフタイマによる動画像の撮影の準備が完了していないと判別され、セルフタイマによる動画像の撮影終了時間を遅らせる制御を行うこととなる。
従って、本実施形態の撮影装置１００にあっては、セルフタイマによる動画像の撮影開始時以降に当該動画像の撮影の準備が完了した場合であっても、当該動画像の撮影終了時間を遅らせるようにしているので、ユーザ所望の一連の動画像（例えば、アドレスからフォロースイングまでの一連のゴルフスイングの動画像）の撮影が途切れてしまうことを抑制することができ、セルフタイマによる動画像の撮影の失敗を軽減することができる。
【００３６】
［変形例］
続いて、上記実施形態の変形例について説明する。なお、上記実施形態と同様の構成要素には同一の符号を付し、その説明を省略する。
本変形例は、セルフタイマによる動画像の撮影開始時に被写体である人物の顔の代わりに当該人物が装着している手袋（ゴルフグローブ）を目印（マーカ）として検出し、検出された手袋の状態に応じて動画像の撮影の準備が完了しているか否かを判別するようにしている点で、上記実施形態と異なっている。
【００３７】
具体的に、本変形例における撮影装置（図示略）の撮像制御部４は、マーカ検出部（図示略）と、マーカ判別部（図示略）と、撮影終了時間制御部４ｃと、を具備している。なお、撮像制御部４の各部は、上記実施形態と同様に、所定のロジック回路から構成されているが、当該構成は一例であってこれに限られるものではない。
【００３８】
マーカ検出部（第２の検出手段）は、撮像部３により逐次撮像されている撮像画像（ライブビュー画像）から被写体である人物が装着する手袋を目印（マーカ）として検出する処理を行う。具体的には、マーカ検出部は、特定の色を検出する色検出技術を用いて、被写体である人物が装着する手袋の色（例えば、赤色）を手掛かりとして、当該人物が装着する手袋を検出する。なお、色検出処理は公知の技術を使用することで実現可能であるため、詳細な説明は省略する。
【００３９】
マーカ判別部（判別手段）は、セルフタイマによる動画像の撮影開始時に被写体の状態を判別する。
具体的には、マーカ判別部は、セルフタイマによる動画像の撮影開始時、すなわち当該動画像の撮影指示がなされセルフタイマが起動してから所定時間（例えば、１０秒）が経過したタイミングにおいて、上記マーカ検出部により検出された手袋が撮像画像（ライブビュー画像）内で静止しているか否か、又は当該撮像画像内の中央部の所定の範囲で検出されているか、すなわちアドレス状態にあるときのポーズとなっているか否かを判別する。
そして、上記手袋が撮像画像（ライブビュー画像）内で静止しているか、又は当該撮像画像内の中央部の所定の範囲で検出された場合、マーカ判別部は、動画像の撮影の準備が完了していると判別する。一方、上記手袋が撮像画像（ライブビュー画像）内で静止しておらず、又は当該撮像画像内の中央部の所定の範囲で検出されていない場合、マーカ判別部は、動画像の撮影の準備が完了していないと判別する。
【００４０】
撮影終了時間制御部（制御手段）４ｃは、上記マーカ判別部による判別結果に応じて、セルフタイマによる動画像の撮影終了時間を制御する。
具体的には、撮影終了時間制御部４ｃは、上記マーカ判別部により動画像の撮影の準備が完了していないと判別された場合、動画像の撮影終了時間を遅らせる制御を行う。
一方、撮影終了時間制御部４ｃは、上記マーカ判別部により動画像の撮影の準備が完了していると判別された場合、動画像の撮影終了時間を遅らせる制御を行わない。従って、かかる場合、撮影装置１００は撮像制御部４の制御下において、予め設定されている動画像の撮影時間（例えば、５秒）の間、動画像の撮影を行うこととなる。
【００４１】
以上のように、本変形例の撮影装置は、セルフタイマによる動画像の撮影を開始するタイミングにおいて、被写体である人物が装着している手袋をマーカとして検出する。また、本変形例の撮影装置は、セルフタイマによる動画像の撮影開始時において、上記手袋が撮像画像（ライブビュー画像）内で静止しているか否か、又は当該撮像画像内の中央部の所定の範囲で検出されているかを判別する。そして、上記手袋が撮像画像（ライブビュー画像）内で静止しているか、又は当該撮像画像内の中央部の所定の範囲で検出されている場合、本変形例の撮影装置は、動画像の撮影の準備が完了していると判別する。一方、上記手袋が撮像画像（ライブビュー画像）内で静止しておらず、当該撮像画像内の中央部の所定の範囲で検出されていない場合、本変形例の撮影装置は、動画像の撮影の準備が完了していないと判別する。
このため、本変形例の撮影装置にあっては、例えば被写体である人物が装着している手袋が静止していなかったり、当該手袋が撮像画像内の中央部の所定の範囲で検出されなかったりした場合は、アドレス状態でない、すなわちセルフタイマによる動画像（例えば、アドレスからフォロースイングまでの一連のゴルフスイングの動画像）の撮影の準備が完了していないと判別され、セルフタイマによる動画像の撮影終了時間を遅らせる制御を行うこととなる。
従って、本変形例の撮影装置にあっては、セルフタイマによる動画像の撮影開始時に当該動画像の撮影の準備が完了していない場合、当該動画像の撮影終了時間を遅らせるようにしているので、ユーザ所望の一連の動画像（例えば、アドレスからフォロースイングまでの一連のゴルフスイングの動画像）の撮影が途切れてしまうことを抑制することができ、セルフタイマによる動画像の撮影の失敗を軽減することができる。
【００４２】
なお、本発明は、上記実施形態や上記変形例に限定されることなく、本発明の趣旨を逸脱しない範囲において、種々の改良並びに設計の変更を行っても良い。
例えば、上記実施形態や上記変形例にあっては、動画像の撮影時間（５秒）、動画像の撮影延長時間（２秒）、セルフタイマの時間（１０秒）を、ユーザ所望の時間にそれぞれ設定変更可能である。
【００４３】
また、上記実施形態や上記変形例にあっては、セルフタイマによる動画像の撮影を一例として説明を行っているが、セルフタイマによる静止画像の連写撮影の際に、撮影終了時間を遅らせるようにしてもよい。なお、かかる場合には、静止画像の撮影枚数（撮影量）を増加させることにより、撮影終了時間を遅らせるようにする。
【００４４】
また、上記実施形態にあっては、検出部４ａにより被写体である人物の顔が検出されたと判定された場合、判別部４ｂは、動画像の撮影の準備が完了していると判別し、検出部４ａにより被写体である人物の顔が検出されなかったと判定された場合、判別部４ｂは、動画像の撮影の準備が完了していないと判別するようにしたが、公知の視線検出技術を使用することによって、動画像の撮影の準備が完了しているか否かを判別するようにしてもよい。具体的には、検出部４ａによって被写体である人物の視線を検出する。そして、判別部４ｂによって上記人物の視線が所定の方向（例えば、ゴルフボールが存在する方向）に向いているか否かを判別することにより、動画像の撮影の準備が完了しているか否かを判別するようにしてもよい。
【００４５】
また、上記実施形態にあっては、セルフタイマによる動画像の撮影開始時において、検出部４ａにより被写体である人物の顔が検出されたと判定された場合、判別部４ｂは、動画像の撮影の準備が完了していると判別するようにしたが、例えば、セルフタイマが起動している期間（例えば、１０秒間）に亘って、検出部４ａにより顔検出処理を行い、当該セルフタイマが起動している期間において、所定時間（例えば、３秒間）以上の間、被写体である人物の顔が検出されたと判定された場合、判別部４ｂは、動画像の撮影の準備が完了していると判別するようにしてもよい。
【００４６】
また、上記実施形態にあっては、セルフタイマによる動画像の撮影開始時において、検出部４ａにより被写体である人物の顔が検出されたと判定された場合、判別部４ｂは、動画像の撮影の準備が完了していると判別するようにしたが、例えば、動画像の撮影の準備が完了していないと判別された場合に、動画像の撮影開始後も検出部４ａにより顔検出処理を継続し、被写体である人物の顔が検出されたと判定された時点から、予め設定されている動画像の撮影時間（例えば、５秒）撮影を行うようにすることで、撮影終了時間を遅らせるようにしてもよい。
【００４７】
また、上記変形例にあっては、公知のオブジェクト認識技術又は形状認識技術を採用し、マーカ検出部（第２の検出手段）によって、撮像部３により逐次撮像されている撮像画像（ライブビュー画像）から被写体である人物が把持するゴルフクラブを検出する処理を行うようにしてもよい。
そして、マーカ判別部（判別手段）は、セルフタイマによる動画像の撮影開始時に被写体の状態を判別する。具体的には、マーカ判別部は、セルフタイマによる動画像の撮影開始時、すなわち当該動画像の撮影指示がなされセルフタイマが起動してから所定時間（例えば、１０秒）が経過したタイミングにおいて、上記マーカ検出部により検出されたゴルフクラブが撮像画像（ライブビュー画像）内で静止しているか否か、又は当該撮像画像内の中央下部の所定の範囲で検出されているか、すなわちアドレス状態にあるときのポーズとなっているか否かを判別する。
そして、上記ゴルフクラブが撮像画像（ライブビュー画像）内で静止しているか、又は当該撮像画像内の中央下部の所定の範囲で検出されている場合、マーカ判別部は、動画像の撮影の準備が完了していると判別する。一方、上記ゴルフクラブが撮像画像（ライブビュー画像）内で静止しておらず、当該撮像画像内の中央下部の所定の範囲で検出されていない場合、マーカ判別部は、動画像の撮影の準備が完了していないと判別する。
【００４８】
また、上記実施形態の撮像制御部４において、上記変形例のマーカ検出部及びマーカ判別部を更に具備するようにしてもよい。
かかる場合、撮影終了時間制御部４ｃは、例えば、判別部４ｂと上記マーカ判別部のいずれによっても動画像の撮影の準備が完了していると判別された場合、つまり、セルフタイマによる動画像の撮影を開始するタイミングにおいて、被写体である人物の顔が撮像画像（ライブビュー画像）内で検出されるとともに、当該人物が装着しているマーカとしての手袋が当該撮像画像内で静止しているか、又は当該撮像画像内の中央部の所定の範囲で検出されている場合、動画像の撮影終了時間を遅らせる制御を行わないようにする。
また、撮影終了時間制御部４ｃは、例えば、判別部４ｂと上記マーカ判別部のいずれか一方によって動画像の撮影の準備が完了していないと判別された場合、動画像の撮影終了時間を２秒遅らせる制御を行う。
また、撮影終了時間制御部４ｃは、例えば、判別部４ｂと上記マーカ判別部のいずれによっても動画像の撮影の準備が完了していないと判別された場合、動画像の撮影終了時間を２秒より更に長い４秒遅らせる制御を行う。
【００４９】
また、上記実施形態や上記変形例にあっては、動画像の撮影終了時間を遅らせる制御を行う場合、当該動画像のフレーム周波数を低くしたり、画質を落としたり、画像サイズを小さくすることによって、画像記録部６のメモリ負荷を軽減するようにしてもよい。
【００５０】
また、上記実施形態や上記変形例にあっては、セルフタイマによる動画像の撮影時間を延長することなく、当該動画像の撮影開始タイミングを遅らせることによって、当該動画像の撮影終了時間を遅らせる制御を行うようにしてもよい。
【００５１】
また、上記実施形態や上記変形例にあっては、撮影終了時間を遅らせる制御がなされている動画像を再生する場合、再生開始位置を、延長した撮影時間（撮影量）分の位置とするようにしてもよい。具体的には、例えば、撮影終了時間を２秒遅らせる制御がなされている場合、当該動画像を再生する場合、再生開始位置を、先頭（撮影開始位置）から２秒経過した位置とするようにしてもよい。
【００５２】
また、上記実施形態や上記変形例にあっては、被写体である人物による一連のゴルフスイングを動画像として撮影する場合を一例として説明を行っているが、ゴルフスイング以外にも、野球におけるバットスイングやテニスにおけるラケットのスイング、陸上競技におけるスタートダッシュ等の撮影の際にも適用することができる。
【００５３】
また、上記実施形態や上記変形例の撮影装置１００の構成は一例であり、これに限られるものではない。例えば、撮像機能を具備するスマートフォン等の携帯端末から構成されていても良い。
【００５４】
また、上記実施形態にあっては、判別手段、制御手段としての機能を、中央制御部１の制御下にて、判別部、撮影終了時間制御部が駆動することにより実現される構成としたが、これに限られるものではなく、中央制御部１のＣＰＵによって所定のプログラム等が実行されることにより実現される構成としても良い。
すなわち、プログラムを記憶するプログラムメモリ（図示略）に、判別処理ルーチン、制御処理ルーチンを含むプログラムを記憶しておく。そして、判別処理ルーチンにより中央制御部１のＣＰＵを、セルフタイマによる連続撮影時における被写体の状態を判別する処理を実行する手段として機能させるようにしても良い。また、制御処理ルーチンにより中央制御部１のＣＰＵを、判別処理ルーチンによる判別結果に応じて、連続撮影の撮影終了時間を制御する手段として機能させるようにしても良い。
【００５５】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００５６】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
予め設定されている撮影量の連続撮影を行うことができる撮影装置であって、
撮影指示がなされてから所定時間経過後に前記連続撮影を開始するセルフタイマによる画像の撮影を実行する撮影手段と、
前記セルフタイマによる前記連続撮影時における被写体の状態を判別する判別手段と、
前記判別手段による判別結果に応じて、前記連続撮影の撮影終了時間を制御する制御手段と、
を備えることを特徴とする撮影装置。
＜請求項２＞
前記判別手段は、前記セルフタイマによる前記連続撮影の撮影開始時における被写体の状態を判別することを特徴とする請求項１に記載の撮影装置。
＜請求項３＞
前記判別手段は、前記被写体の状態により、前記連続撮影の準備が完了しているか否かを判別し、
前記制御手段は、前記判別手段により前記連続撮影の準備が完了していないと判別された場合に、前記連続撮影の撮影終了時間を遅らせる制御を行うことを特徴とする請求項１又は２に記載の撮影装置。  
＜請求項４＞
前記制御手段は、前記撮影量を増加させることにより、前記連続撮影の撮影終了時間を遅らせる制御を行うことを特徴とする請求項３に記載の撮影装置。
＜請求項５＞
前記制御手段は、前記連続撮影の撮影時間又は撮影枚数を増加させることにより、前記撮影量を増加させることを特徴とする請求項４に記載の撮影装置。
＜請求項６＞
人物の顔を検出する第１の検出手段を更に備え、
前記判別手段は、前記第１の検出手段により人物の顔が検出されたか否かによって、前記連続撮影の準備が完了しているか否かを判別することを特徴とする請求項３〜５の何れか一項に記載の撮影装置。
＜請求項７＞
前記第１の検出手段は、更に前記人物の視線を検出し、
前記判別手段は、前記第１の検出手段により検出された前記人物の視線が所定の方向であるか否かによって、前記連続撮影の準備が完了しているか否かを判別することを特徴とする請求項６に記載の撮影装置。
＜請求項８＞
人物が把持する又は装着する物体を検出する第２の検出手段を更に備え、
前記判別手段は、前記第２の検出手段により検出された前記物体が、静止しているか否か、又は前記撮影手段により撮影される画像内の所定の範囲内で検出されたか否か、によって、前記連続撮影の準備が完了しているか否かを判別することを特徴とする請求項３〜７の何れか一項に記載の撮影装置。
＜請求項９＞
撮影指示がなされてから所定時間経過後に、予め設定されている撮影量の連続撮影を開始するセルフタイマによる画像の撮影を実行する撮影手段を備える撮影装置の撮影制御方法であって、
前記セルフタイマによる前記連続撮影時における被写体の状態を判別する処理と、
前記被写体の判別結果に応じて、前記連続撮影の撮影終了時間を制御する処理と、
を含むことを特徴とする撮影制御方法。
＜請求項１０＞
撮影指示がなされてから所定時間経過後に、予め設定されている撮影量の連続撮影を開始するセルフタイマによる画像の撮影を実行する撮影手段を備える撮影装置を制御するコンピュータに、
前記セルフタイマによる前記連続撮影時における被写体の状態を判別する判別機能、
前記判別機能による判別結果に応じて、前記連続撮影の撮影終了時間を制御する制御機能、
を実現させることを特徴とするプログラム。
【符号の説明】
【００５７】
１００  撮影装置
１      中央制御部
２      メモリ
３      撮像部
４      撮像制御部
４ａ    検出部
４ｂ    判別部
４ｃ    撮影終了時間制御部
５      画像データ生成部
６      画像記録部
７      表示部
８      操作入力部
【図１】
0006724527.tif 000002
【図２】
0006724527.tif 000003
【図３】
0006724527.tif 000004